(57)【要約】【課題】  本発明は、FF暖房機器の温風を利用して屋根裏空間を温めて屋根の積雪を融解させると共に、浴室、脱衣場、トイレ等の個室を暖房することができる屋根融雪兼用個室暖房装置である。【解決手段】  本発明の屋根融雪兼用個室暖房装置は、FF式暖房機１と、該FF式暖房機１に接続された立ち上がりダクト４と、該立ち上がりダクト４に一体に連結された多数の噴射口を有する横置きダクト５とを設けると共に、前記ＦＦ式暖房機１の吹出口に連結された温風ファン２に送風ダクト６を設け、該送風ダクト６は天井裏ダクト７を介して浴室８、脱衣場９、トイレ１０等の天井板３面に開口した吹出口１１に連結してなるものである。さらに、前記ＦＦ式暖房機１の吹出口に連結された温風ファン２には、床を貫通して床下に延び、床下領域に配管された床下ダクト１２を設け、該床下ダクト１２には所定間隔毎に床面に向って吹出す送風口１４を設けてなるものである。【選択図】  図１
2005241198.tif 000002
【特許請求の範囲】
【請求項１】
室内に設置され、屋外の空気を吸気し、燃焼排ガスを屋外に排出するFF式暖房機と、該FF式暖房機の吹出口に連結された温風ファンに接続され、天井板を貫通する立ち上がりダクトと、該立ち上がりダクトに一体に連結され、屋根裏の軒桁と母屋桁との中間に平行に配置され、多数の噴射口を有する横置きダクトとを設けると共に、前記ＦＦ式暖房機の吹出口に連結された温風ファンには、立ち上がりダクトと同様に送風ダクトを設け、該送風ダクトは、床側から縦方向に天井板を貫通して屋根裏に延び、さらに天井裏ダクトを介して天井板裏面に沿って浴室、脱衣場、トイレ等に延び、前記天井裏ダクトを浴室、脱衣場、トイレ等の天井板面に開口した吹出口に連結してなることを特徴とする屋根融雪兼用個室暖房装置。
【請求項２】
前記ＦＦ式暖房機の吹出口に連結された温風ファンには、床を貫通して床下に延び、床下領域に配管された床下ダクトを設け、該床下ダクトには所定間隔毎に床面に向って吹出す送風口を設けてなることを特徴とする請求項１記載の屋根融雪兼用個室暖房装置。
【発明の詳細な説明】
【技術分野】
【０００１】
本発明は、FF暖房機器の温風を利用して屋根裏空間を温めて屋根の積雪を融解させると共に、浴室、脱衣場、トイレ等の個室を暖房することができる屋根融雪兼用個室暖房装置に関する。
【背景技術】
【０００２】
本願出願人が開発した、FF暖房機器の温風を利用して屋根及び屋根裏空間を温めて屋根の積雪を融解させる屋根融雪装置が公知となっている。
この公知技術は、室内の窓際に設置され、屋外の空気を吸気し、燃焼排ガスを屋外に排出するFF式暖房機と、該FF式暖房機の吹出口に連結された温風カバーに接続され、天井板を貫通する立ち上がりダクトと、該立ち上がりダクトに一体に連結され、屋根裏の軒桁と母屋桁との中間に平行に配置され、多数の噴射口を有する横置きダクトとからなることを特徴とする屋根融雪装置である（特許文献１を参照）。
この屋根融雪装置は、FF式暖房機の温風を利用して、屋根面及び屋根裏空間を温めるので、排気ガスの心配なく、効率よく屋根の雪を融解させることができるし、屋根裏空間を利用して既存の家屋に簡単に取り付けることが出来るものであった。
一方、積雪寒冷地方においては、居住空間は暖房装置により暖かくされているが、浴室、脱衣場、トイレ等には暖房がなされておらず、その温度差により脳卒中症の多い原因ともなっている。
その温度差を解消するために、電気ヒーター等の暖房装置を設置する場合もあるが、狭い空間であり安全性に問題があった。
そのため、冬期間に、衣類乾燥機で発生した暖気を直接又は換気兼用暖気ダクトを経由して脱衣室及び浴室内に導入し、当該室内を暖房することが公知となっている（特許文献２を参照）。
【０００３】
【特許文献１】実用新案登録第３０８０２７０号
【特許文献２】特開２０００−２５７８９４号
【発明の開示】
【発明が解決しようとする課題】
【０００４】
そこで、本発明は前記屋根融雪装置を改良して、FF暖房機器の温風を利用して屋根裏空間を温めて屋根の積雪を融解させると共に、浴室、脱衣場、トイレ等の個室を暖房することができる屋根融雪兼用個室暖房装置を提供することを目的とする。
【課題を解決するための手段】
【０００５】
そこで、本発明の屋根融雪兼用個室暖房装置は、室内に設置され、屋外の空気を吸気し、燃焼排ガスを屋外に排出するFF式暖房機と、該FF式暖房機の吹出口に連結された温風ファンに接続され、天井板を貫通する立ち上がりダクトと、該立ち上がりダクトに一体に連結され、屋根裏の軒桁と母屋桁との中間に平行に配置され、多数の噴射口を有する横置きダクトとを設けると共に、前記ＦＦ式暖房機の吹出口に連結された温風ファンには、立ち上がりダクトと同様に送風ダクトを設け、該送風ダクトは、床側から縦方向に天井板を貫通して屋根裏に延び、さらに天井裏ダクトを介して天井板裏面に沿って浴室、脱衣場、トイレ等に延び、前記天井裏ダクトを浴室、脱衣場、トイレ等の天井板面に開口した吹出口に連結してなるものである。
さらに、前記ＦＦ式暖房機の吹出口に連結された温風ファンには、床を貫通して床下に延び、床下領域に配管された床下ダクトを設け、該床下ダクトには所定間隔毎に床面に向って吹出す送風口を設けてなるものである。
【発明の効果】
【０００６】
本発明の屋根融雪兼用個室暖房装置は、FF式暖房機の温風を利用して、屋根面及び屋根裏空間を温めるので、排気ガスの心配なく、効率よく屋根の雪を融解させることができるし、屋根裏空間を利用して既存の屋根に簡単に取り付けることが出来る。
また、天井裏ダクトを介して温風を送風することができるので、浴室、脱衣場、トイレ等の室温が極端に低くなることがなく、脳卒中で倒れるようなことがなくなる。
又、浴室、脱衣場は湿気があり、そのため結露になるが、この装置により結露がなくカビも出ない。
【実施例】
【０００７】
以下、本発明の一実施例を図面に基づいて説明する。
本発明の屋根融雪兼用個室暖房装置は、図１に示すように、室内に設置され、屋外の空気を吸気し、燃焼排ガスを屋外に排出するＦＦ式暖房機１と、該ＦＦ式暖房機１の吹出口に連結された温風ファン２に接続され、天井板３を貫通する立ち上がりダクト４と、該立ち上がりダクト４に一体に連結され、屋根裏の軒桁と母屋桁との間に図１の手前から奥に向って配置され、屋根に向けて多数の送風口を有する横置きダクト５とを設ける。
前記ＦＦ式暖房機１は、屋外の空気を吸気して燃焼させ、燃焼排ガスを屋外に排出すると共に、室内空気を吸込口から吸引し熱交換させて吹出口から温風を吹き出させて暖房するものである。
前記立ち上がりダクト４は、床側から縦方向に天井板３を貫通して屋根裏に延びる円筒状の塩ビ管（スパイラル管）からなり、前記ＦＦ式暖房機１の吹出口に温風ファン２を配置して温風を送風させ、屋根裏に温風を供給する。
また、温風ファン２には、異常加熱などの危険防止のために温度感知センサー（図示せず）を設置して、前記ＦＦ式暖房機１の作動を制御することもできる。
前記横置きダクト５は、長手方向に所定間隔毎に屋根面に向かって吹き出す送風口を設けた塩ビ管（ニューホープ管）からなり、長手方向の先端はキャップにより閉塞されている。
また、各送風口には、異常加熱などの危険防止のために温度感知センサー（図示せず）を設置して、前記ＦＦ式暖房機１の作動を制御することもできる。
【０００８】
前記ＦＦ式暖房機１の吹出口に連結された温風ファン２には、立ち上がりダクト４と同様に送風ダクト６を設け、該送風ダクト６は、床側から縦方向に天井板３を貫通して屋根裏に延び、さらに天井裏ダクト７を介して天井板３裏面に沿って浴室８、脱衣場９、トイレ１０等に延びる円筒状の塩ビ管（ニューホープ管）からなり、前記天井裏ダクト７を浴室８、脱衣場９、トイレ１０等の天井板面に開口した吹出口１１に連結する。
さらに、前記ＦＦ式暖房機１の温風循環を確保するために、天井板３を貫通し屋根裏に連通する循環ダクト１５を設け、該循環ダクト１５に循環ファン１４を取り付けて屋根裏の温風を前記ＦＦ式暖房機１室に送る。
さらに、前記ＦＦ式暖房機１の吹出口に連結された温風ファン２には、床を貫通して床下に延び、床下領域に配管された円筒状の塩ビ管（ニューホープ管）からなる床下ダクト１２を設け、該床下ダクト１２には所定間隔毎に床面に向って吹出す送風口１３を設ける。
また、前記天井裏ダクト７及び床下ダクト１２の総延長距離が長くなる場合には、途中に中間ダクトファンを設けてもよい。
なお、各吹出口１１及び各送風口１３には、異常加熱などの危険防止のために温度感知センサーを設置して、前記ＦＦ式暖房機１又は温風ファン２の作動を制御することもできる。
前記温風ファン２には、切換ダンパー等を配置して前記立ち上がりダクト４、送風ダクト６、天井裏ダクト７、床下ダクト１２の切換動作を行えるように構成する。
【０００９】
次に、本発明の屋根融雪兼用個室暖房装置の運転動作を図面に基づいて説明する。
降雪時に、ＦＦ式暖房機１を作動させることにより、温風ファン２、立ち上がりダクト４を介して横置きダクト５の噴射口から屋根面に向けて直交する方向に温風を噴射する。
なお、噴射口の下方にシートを敷設して、温風が下方に逃げないようにすることもできる。
噴射された温風は、屋根面及び屋根裏空間を温めるため、屋根に降った雪はすぐに融解して水となって流れ落ち、屋根に雪が積もることはない。
さらに、温風により屋根裏空間が温められるので、天井板３を通して室内全体が暖まる。
また、温風ファン２、噴射口には、それぞれ温度感知センサーを設けているので、前記ＦＦ式暖房機１の作動を制御することができる。
【００１０】
浴室８、脱衣場９、トイレ１０等を利用する時は、あらかじめ温風ファン２を切り換えて送風ダクト６、天井裏ダクト７を介して吹出口１１から温風を浴室８、脱衣場９、トイレ１０等に送風して個室内を温めておく。
このことにより、居住空間と浴室８、脱衣場９、トイレ１０等の温度差を解消することができる。
なお、冬期間は常時、浴室８、脱衣場９、トイレ１０等に常時温風を吹出すようにすることもできる。
また、温風ファン２を切り換えて温風ファン２から床下ダクト１２を介して床下に温風を吹出し、床下面から暖房を行うこともできる。
なお、床下ダクト１２の下方にコンクリートを敷設して、温風が下方に逃げないようにすることもできる。
【図面の簡単な説明】
【００１１】
【図１】本発明の屋根融雪兼用個室暖房装置の説明図である。
【符号の説明】
【００１２】
１  FF式暖房機
２  温風ファン
３  天井板
４  立ち上がりダクト
５  横置きダクト
６  送風ダクト
７  天井裏ダクト
８  浴室
９  脱衣場
１０  トイレ
１１  吹出口
１２  床下ダクト
１３  送風口
１４  循環ファン
１５  循環ダクト
【図１】
2005241198.tif 000003